【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
（ａ）（ｉ）磁気歪み材料と、（ｉｉ）パルス磁界または連続磁界を受けると電気を生成する圧電材料の複合材料と、（ｂ）該複合材料に接続されたコンデンサまたは強磁コンデンサと、（ｃ）該複合材料と該コンデンサまたは強磁コンデンサとの間に位置決定された電圧調整器と、（ｄ）該複合材料、該電圧調整器および該コンデンサまたは強磁コンデンサを支持する可撓性基板とを備える、バッテリ。
【請求項２】
前記圧電材料は、ジルコン酸チタン酸鉛（ＰＺＴ）である、請求項１に記載のバッテリ。
【請求項３】
前記可撓性基板は、ポリエステルおよびポリイミドからなる群より選択される、請求項１に記載のバッテリ。
【請求項４】
前記複合材料は、該複合材料の自然共鳴周波数の９０％〜１１０％の範囲内の周波数を有する磁界を受けている、請求項１に記載のバッテリ。
【請求項５】
並列に接続され、前記可撓性基板上に据え付けられた請求項１に記載の複数のバッテリを含むマルチユニットバッテリ。
【請求項６】
前記複数のバッテリが据え付けられた前記可撓性基板は、円筒形形状を形成するように該可撓性基板自体が巻かれる、請求項５に記載のマルチユニットバッテリ。
【請求項７】
前記円筒形形状は、第１の端部と第２の端部とを有し、一対の電極をさらに含み、該一対の電極は、１つが該第１の端部上にあり、もう１つが該第２の端部上にある、請求項６に記載のマルチユニットバッテリ。
【請求項８】
前記コンデンサまたは強磁コンデンサの１つ以上に取り付けられた電極をさらに含む、請求項５に記載のマルチユニットバッテリ。
【請求項９】
電磁界を生成するコイルドライバシステムをさらに含み、（ｉ）該コイルドライバシステムは、第１の周波数で信号を振動および分割器に伝送することであって、該分割器は、該信号の周波数を低減し、該低減された周波数の信号をｎａｎｄゲートに伝送する、ことと、（ｉｉ）該ｎａｎｄゲートから受信された該低減された周波数の信号の２つの位相を生成し、該位相をそれぞれ第１のドライバおよび第２のドライバに伝送するインバータであって、該第１のドライバは、該低減された周波数の信号を該コンデンサまたは強磁コンデンサの第１の端部に伝送し、該第２のドライバは、該低減された周波数の信号を該コンデンサまたは強磁コンデンサの第２の端部に伝送する、請求項１に記載のバッテリ。
【請求項１０】
前記複合材料は、該複合材料の自然共鳴周波数の９０％〜１１０％の範囲内の周波数を有する磁界を受けている、請求項９に記載のバッテリ。
【請求項１１】
可撓性基板上に据え付けられた請求項９に記載の複数のバッテリを含むマルチユニットバッテリ。
【請求項１２】
前記可撓性基板は、ポリエステルおよびポリイミドからなる群より選択される、請求項１１に記載のマルチユニットバッテリ。
【請求項１３】
並列に接続され、前記可撓性基板上に据え付けられた請求項１１に記載の複数のバッテリを含むマルチユニットバッテリ。
【請求項１４】
前記複数のバッテリが据え付けられた前記可撓性基板は、円筒形形状を形成するように該可撓性基板自体が巻かれ、該円筒形形状は、第１の端部と第２の端部とを有し、一対の電極をさらに含み、該一対の電極は、１つが該第１の端部上にあり、もう１つが該第２の端部上にある、請求項１３に記載のマルチユニットバッテリ。
【請求項１５】
前記コンデンサまたは強磁コンデンサの１つ以上に取り付けられた電極をさらに含む、請求項１３に記載のマルチユニットバッテリ。
【請求項１６】
バッテリを形成する方法であって、該方法は、（ａ）構造物を形成するステップであって、該構造物は、（ｉ）磁気歪み材料および圧電材料の複合材料と、（ｉｉ）第１の位置にある第１の端子と、（ｉｉｉ）第２の位置にある第２の端子と、（ｉｖ）コンデンサまたは強磁コンデンサ出会って、該コンデンサまたは強磁コンデンサは、該複合材料と、（Ａ）該第１の端子または（Ｂ）該第２の端子との間に位置決定される、コンデンサまたは強磁コンデンサとを有する、ステップと、（ｂ）該構造物にパルス磁界または連続磁界を受けさせるステップとを含む、方法。
【請求項１７】
前記圧電材料は、ジルコン酸チタン酸鉛（ＰＺＴ）である、請求項１６に記載の方法。
【請求項１８】
前記複合材料は、自然共鳴周波数を有し、該複合材料の自然共鳴周波数の９０％〜１１０％の範囲内の周波数を有する磁界を該複合材料に受けさせるステップをさらに含む、請求項１６に記載の方法。
【請求項１９】
電圧調整器を、前記複合材料と、前記コンデンサまたは強磁コンデンサとの間に位置決定するステップをさらに含む、請求項１６に記載の方法。
【請求項２０】
前記複数のバッテリを可撓性基板上に据え付けるステップと、該複数のバッテリの少なくともいくつかを該複数のバッテリの他のバッテリと並列に接続するステップとをさらに含む、請求項１６に記載の方法。
【請求項２１】
前記複数のバッテリが据え付けられた前記可撓性基板を、複数の別個の形状のうちの１つに形成するステップをさらに含む、請求項２０に記載の方法。
【請求項２２】
前記複数の別個の形状は円筒形形状を含み、電極を該別個の形状に固定するステップをさらに含む、請求項２１に記載の方法。
【請求項２３】
（ａ）オシレータ、分割器、ｎａｎｄゲート、インバータおよび第１の端部と第２の端部とを有するコイルコンデンサを有するコイルドライバシステムを提供することと、（ｂ）第１の周波数で信号を該オシレータから該分割器に伝送することであって、該分割器は、該信号の周波数を低減することと、（ｃ）該低減された周波数の信号を該ｎａｎｄゲートおよび該インバータに伝送することであって、該インバータは該低減された周波数の信号の２つの位相を生成する、ことと、（ｄ）該位相をそれぞれ第１のドライバおよび第２のドライバに伝送することと、（ｅ）該信号を、該第１のドライバから該コイルコンデンサの該第１の端部に、そして、該第１のドライバから該コイルコンデンサの該第１の端部に伝送することと、によって前記磁界を生成するステップをさらに含む、請求項１６に記載の方法。
【手続補正２】
【補正対象書類名】明細書
【補正対象項目名】００１７
【補正方法】変更
【補正の内容】
【００１７】
本発明の他の目的および利点は、好ましい実施形態の以下の詳細な説明および添付の図面を精査すると、当業者にとって明らかとなる。
例えば、本発明は以下の項目を提供する。
（項目１）
（ａ）パルス幅変調器と、
（ｂ）該変調器からのソース信号の周波数の生成を制御するマイクロプロセッサと、
（ｃ）インダクタと、
（ｄ）増幅器から該ソース信号を受信し、該ソース信号を該インダクタに送信する複数のリレー接点およびコンデンサであって、該インダクタおよびコンデンサは共鳴信号を生成する、リレー接点およびコンデンサと、
（ｅ）搬送波信号として該共鳴信号を送信する１つ以上のリレー接点を介して該コンデンサと通信するゲートと、
（ｆ）該ソース信号と共に該搬送波信号をゲーティングし、結晶を用いてゲーティングのための比較信号を生成し、一連のパルスを生成する手段とを備え、該マイクロプロセッサは、
（ｉ）該一連のパルスのカウントを決定するカウンタと、（ｉｉ）静電容量を変化させ、該一連のパルスのカウントを増加させるかまたは減少させる手段を有する、自動アンテナ同調システム。
（項目２）
上記同調システムは、施設において位置を定められたアンテナと、コンピュータまたはマイクロプロセッサとに接続され、該施設に位置を決められた、複数の間隔を空けて置かれたＲＦＩＤトランスポンダをさらに含み、該ＲＦＩＤトランスポンダは、該コンピュータまたはマイクロプロセッサからの信号を受信し、そのような信号を該アンテナに送信して戻すように適合される、項目１に記載の自動アンテナ同調システム。
（項目３）
（ａ）パルス幅変調器と、
（ｂ）該変調器からのソース信号の周波数の生成を制御するマイクロプロセッサと、
（ｃ）該ソース信号を増幅する１つ以上の増幅器と、
（ｄ）インダクタと、
（ｅ）該増幅器から該ソース信号を受信し、該ソース信号を該インダクタに送信する複数のリレー接点およびコンデンサであって、該インダクタおよびコンデンサは共鳴信号を生成する、リレー接点およびコンデンサと、
（ｆ）搬送波信号として該共鳴信号を送信する１つ以上のリレー接点を介して該コンデンサと通信するゲートと、
（ｇ）該ソース信号と共に該搬送波信号をゲーティングし、結晶を用いてゲーティングのための比較信号を生成し、一連のパルスを生成する手段とを備え、該マイクロプロセッサは、
（ｉ）該一連のパルスのカウントを決定するカウンタと、（ｉｉ）静電容量を変化させ、該一連のパルスのカウントを増加させるかまたは減少させる手段を有する、自動アンテナ同調システム。
（項目４）
無線周波数識別システム（ＲＦＩＤ）のためのアンテナを同調させる方法は、
（ａ）ある周波数でパルス幅変調器からソース信号を放射するステップと、
（ｂ）該ソース信号を増幅し、複数のコンデンサおよび１つのインダクタに送信するステップであって、各コンデンサはリレー接点を有する、ステップと、
（ｃ）１つ以上のコンデンサを介して該インダクタから信号を送信し、搬送波信号を生成するステップと、
（ｄ）該ソース信号と共に該搬送波信号をゲーティングし、比較信号を生成するステップと、
（ｅ）該ソース信号と比較して、該搬送波信号が９０度だけ位相が進んでいるかまたは遅れているかどうかを比較するステップと、
（ｆ）必要に応じて、静電容量を追加するかまたは減少させ、該比較信号の１周期当りのカウントを変化させ、該搬送波信号と該ソース信号の間に９０度の位相を確立するステップと
を包含する、方法。
（項目５）
静電容量を増加させ、１周期当りのパルス数を減少させるか、または静電容量を減少させ、１周期当りのパルス数を増加させるステップをさらに含む、項目４に記載の方法。
（項目６）
（ａ）上記同調システムと通信する施設内に上記アンテナの位置を決めるステップと、
（ｂ）該施設内に複数のＲＦＩＤトランスポンダの位置を決めるステップと、
（ｃ）コンピュータまたはマイクロプロセッサから該ＲＦＩＤトランスポンダのうちの１つ以上に信号を送信するステップと、
（ｄ）該１つ以上のＲＦＩＤトランスポンダから該アンテナおよび該コンピュータに信号を送信するステップと
をさらに包含する、項目４に記載の方法。
（項目７）
結晶を用いてＡＮＤゲートを介して上記比較信号をゲーティングし、１周期当りのカウントを規定する一連のパルスを生成するステップをさらに含む、項目４に記載の方法。
（項目８）
（ａ）ある周波数、ある位相でソース信号によってインダクタに電力を送達するステップと、
（ｂ）該インダクタから１つ以上のコンデンサを介してゲートに共鳴信号を送信するステップと、
（ｃ）該ゲートから搬送波信号を送信し、ＡＮＤゲートを介して該搬送波信号をゲーティングし、該ソース信号と結合させ、比較信号を生成し、該比較信号は、結晶用いてゲーティングされ、一連のパルスを生成するステップと、
（ｄ）該ソース信号の位相を該搬送波信号の位相と比較するステップと、
（ｅ）該ソース信号の位相と該搬送波信号の位相との間の位相差が９０度より大きいかまたは少ない場合のみであるが、該インダクタからの信号に対する静電容量を追加するか、または減少させるステップと
を包含する、無線周波数識別システムのためのアンテナを同調させる方法。
（項目９）
上記アンテナからの信号をコード化し、該コード化された信号を離れた受信デバイスに送信するステップをさらに含む、項目８に記載の方法。
（項目１０）
施設において製品の在庫を管理する方法であって、
（ａ）該施設内にアンテナおよび複数のＲＦＩＤトランスポンダの位置を決めるステップと、
（ｂ）アンテナ同調システムを該アンテナに係合するステップであって、該同調システムはパルス幅変調器とインダクタとを含む、ステップと、
（ｃ）該パルス幅変調器から複数のコンデンサおよび該インダクタにソース信号を送信するステップであって、各コンデンサはリレー接点を有する、ステップと、
（ｄ）１つ以上のコンデンサを介して該インダクタから信号を送信し、搬送波信号を形成するステップと、
（ｅ）該ソース信号と共に該搬送波信号をゲーティングし、比較信号を生成するステップと、
（ｆ）該ソース信号と比較して、該搬送波信号が９０度だけ位相が進んでいるかまたは遅れているかどうかを比較するステップと、
（ｇ）必要に応じて、静電容量を追加するかまたは減少させ、該比較信号の１周期当りのカウントを変化させ、該搬送波信号と該ソース信号の間に９０度の位相を確立するステップと
（ｈ）コンピュータまたはマイクロプロセッサから該ＲＦＩＤトランスポンダのうちの１つ以上に信号を送信するステップと、
（ｉ）該１つ以上のＲＦＩＤトランスポンダから該アンテナおよび該コンピュータに信号を送信するステップと
を包含する、方法。